(57)【要約】ワイヤレス送受信ユニット（ＷＴＲＵ）を異なる周波数レイヤ中のスモールセルにオフロードするためのオフロードエリア情報を取得および適用する方法を開示する。ＷＴＲＵは、領域またはマクロセルに入り、かつマクロセル付近のスモールセルが位置する領域のオフロードエリア情報を受信することができる。オフロードエリア情報は、全地球測位システム（ＧＰＳ）座標と、ＧＰＳ座標に対してエリアが延びる半径と、位置基準信号（ＰＲＳ）のリストと、セル識別、またはセル識別のリストと、スモールセルの位置する周波数と、対応するセルの無線アクセス技術（ＲＡＴ）とのうちの、少なくとも１つを含んでよい。オフロード情報は、システム情報ブロック（ＳＩＢ）、専用シグナリング、または他の任意の無線信号中で受信することができる。
2014512145.tif 000002
【特許請求の範囲】
【請求項１】
ワイヤレス送受信ユニット（ＷＴＲＵ）においてオフロードエリア情報をネットワークから受信するステップと、
前記オフロードエリア情報に基づいて、スモールセルのカバレッジエリアに対して前記ＷＴＲＵのカバレッジエリア判定を行うステップと、
オフロード表示を前記ネットワークに送信するステップと
を含むことを特徴とする方法。
【請求項２】
前記オフロードエリア情報は、（ｉ）中心点および半径で定義されるエリア、（ｉｉ）ＧＰＳ座標のセット、（ｉｉｉ）複数のＧＰＳ座標で定義されるエリア、（ｉｖ）少なくとも１つのマクロセルのカバレッジエリア、および前記少なくとも１つのマクロセルの識別、（ｖ）位置基準シンボルのリスト、（ｖｉ）１もしくは複数のＰＣＩ、（ｖｉｉ）１もしくは複数のセル識別、（ｖｉｉｉ）スモールセルが動作する周波数、（ｉｘ）スモールセルの無線アクセス技術、のうちのいずれか１または複数を含むことを特徴とする請求項１に記載の方法。
【請求項３】
前記オフロードエリア情報は無線リソース制御（ＲＲＣ）メッセージを介して受信されることを特徴とする請求項１に記載の方法。
【請求項４】
前記オフロードエリア情報はシステム情報ブロックを介して受信されることを特徴とする請求項１に記載の方法。
【請求項５】
前記オフロードエリア情報は、セル再選択、セルへのハンドオーバ、セル再選択／セルへのハンドオーバに関連付けられるタイマの満了、ネットワークによる明示的な要求、周期的タイマの満了、のイベントのうちの少なくとも１つの発生に基づいて、前記ＷＴＲＵによって受信されることを特徴とする請求項１に記載の方法。
【請求項６】
前記カバレッジエリア判定は、ＷＴＲＵ位置を基準位置および半径と比較することによって、またはＷＴＲＵ位置を複数の位置基準点と比較することによって行われることを特徴とする請求項１に記載の方法。
【請求項７】
前記オフロード表示は、ＷＴＲＵ位置、スモールセルＩＤ、スモールセル周波数、記憶した位置のインデックス値、のうちの１つを含むことを特徴とする請求項１に記載の方法。
【請求項８】
前記オフロード表示に応答してスモールセル構成を基地局から受信するステップをさらに含むことを特徴とする請求項１に記載の方法。
【請求項９】
前記スモールセル構成は、周波数間、ＲＡＴ間、または周波数内測定構成であることを特徴とする請求項８に記載の方法。
【請求項１０】
前記オフロード表示を前記ネットワークに送信するステップは前記ＷＴＲＵの低モビリティ状態が条件とされることを特徴とする請求項１に記載の方法。
【請求項１１】
前記オフロード表示をマクロセルに送信するステップは前記ＷＴＲＵのトラフィックレベルを条件とすることを特徴とする請求項１に記載の方法。
【請求項１２】
オフロードエリア情報をマクロセル基地局から受信し、前記オフロードエリア情報に基づいてスモールセルのカバレッジエリアに対してＷＴＲＵのカバレッジエリア判定を行い、およびオフロード表示を前記マクロセルに送信する、ように構成されたワイヤレス送受信ユニット（ＷＴＲＵ）を備えることを特徴とする装置。
【請求項１３】
前記ＷＴＲＵは、ＷＴＲＵ位置を基準位置および半径と比較することによって、またはＷＴＲＵ位置を複数の位置基準点と比較することによって、前記カバレッジエリア判定を行うように構成されたことを特徴とする請求項１２に記載の装置。
【請求項１４】
前記ＷＴＲＵは、前記オフロード表示に応答してスモールセル構成を前記基地局から受信するようにさらに構成されたことを特徴とする請求項１２に記載の装置。
【請求項１５】
前記ＷＴＲＵは、前記ＷＴＲＵの低モビリティ状態に基づいて前記オフロード表示を前記マクロセルに送信するようにさらに構成されたことを特徴とする請求項１２に記載の装置。
【請求項１６】
前記ＷＴＲＵは、前記ＷＴＲＵのトラフィックレベルに基づいて前記オフロード表示を前記マクロセルに送信するようにさらに構成されたことを特徴とする請求項１２に記載の装置。
【請求項１７】
前記ＷＴＲＵは、セル再選択、セルへのハンドオーバ、セル再選択／セルへのハンドオーバに関連するタイマの満了、ネットワークによる明示的な要求、周期的タイマの満了、有効なオフロードエリア情報が不足しているかどうかを前記ＷＴＲＵが最後に検証したときに開始されたタイマの満了、のうちの少なくとも１つが発生したときに、有効なオフロードエリア情報を検証するようにさらに構成されたことを特徴とする請求項１２に記載の装置。
【請求項１８】
前記ＷＴＲＵは、
所与のオフロードエリア情報に対して有効性タイマが満了すること、
前記ＷＴＲＵがセル外に移動すること（例えば、セル再選択に起因して、またはハンドオーバに起因して、のいずれか）、
前記ＷＴＲＵがアイドルモードに移行すること、
前記ＷＴＲＵが周波数間またはＲＡＴ間ハンドオーバを実施すること、
前記ＷＴＲＵがホームネットワーク外に移動すること、
前記ＷＴＲＵが公衆ネットワークを変更すること、
前記ＷＴＲＵがネットワークから明示的に命じられ、前記オフロードエリア情報を削除すること、
前記ＷＴＲＵがＲＲＣ状態を変更すること、
前記ＷＴＲＵが新しいオフロードエリア情報を得ること
のトリガのうちのいずれか１つに基づいて、記憶したオフロードエリア情報を削除するようにさらに構成されたことを特徴とする請求項１２に記載の装置。
【発明の詳細な説明】
【技術分野】
【０００１】
本発明は、異種ネットワークにおけるスモールセル発見のための方法および装置に関する。
【背景技術】
【０００２】
関連出願の相互参照
本出願は、２０１１年４月１３日に出願された“Ｍｅｔｈｏｄ  ｆｏｒ  Ｓｍａｌｌ  Ｃｅｌｌ  Ｄｉｓｃｏｖｅｒｙ  Ｉｎ  Ｈｅｔｅｒｏｇｅｎｅｏｕｓ  Ｎｅｔｗｏｒｋｓ”という名称の米国特許仮出願第６１／４７５，０６３号明細書、および２０１１年４月２９日に出願された“Ｍｅｔｈｏｄ  ａｎｄ  Ａｐｐａｒａｔｕｓ  ｆｏｒ  Ｓｍａｌｌ  Ｃｅｌｌ  Ｄｉｓｃｏｖｅｒｙ  Ｉｎ  Ｈｅｔｅｒｏｇｅｎｅｏｕｓ  Ｎｅｔｗｏｒｋｓ”という名称の米国特許仮出願第６１／４８０，７６８号明細書に対する優先権を主張するものであり、これらの仮出願は両方とも参照により本明細書に組み込まれる。
【０００３】
自律探索機能および近接性表示機能は、アイドルモードおよび接続モードで、ワイヤレス送受信ユニット（ＷＴＲＵ）がメンバとして属する閉加入者グループ（ＣＳＧ、Ｃｌｏｓｅｄ  Ｓｕｂｓｃｒｉｂｅｒ  Ｇｒｏｕｐ）またはハイブリッドセルへの、ＷＴＲＵのインバウンドモビリティを容易にする。
【０００４】
これらの機能は両方とも、「フィンガプリント」の存在に暗黙的に依拠することができる。「フィンガプリント」により、ＷＴＲＵは、それがメンバとして属するＣＳＧまたはハイブリッドセルの潜在的な存在を、たとえＷＴＲＵが測定を行っていない周波数でそのようなセルが動作している場合であっても、推論することができる。フィンガプリント情報は、ＷＴＲＵが特定のセルまたはセルグループの付近にあるかどうか判定するためにＷＴＲＵによって使用される情報および／または測定値を含むことができる。ロングタームエボリューション（ＬＴＥ）などのワイヤレス通信標準においてサポートされる位置決め機能は、無線信号の測定に基づいてＷＴＲＵの地理的位置および／または速度を決定する手段を提供する。
【発明の概要】
【０００５】
ワイヤレス送受信ユニット（ＷＴＲＵ）を異なる周波数レイヤ中のスモールセルにオフロード（ｏｆｆｌｏａｄ）するためのオフロードエリア情報を取得および適用する方法を開示する。ＷＴＲＵは、領域またはマクロセルに入り、マクロセル付近のスモールセルが位置する領域のオフロードエリア情報を受信することができる。オフロードエリア情報は、全地球測位システム（ＧＰＳ）座標と、ＧＰＳ座標に対してエリアが延びる半径と、位置基準信号（ＰＲＳ）のリストと、セル識別、またはセル識別のリストと、スモールセルの位置する周波数と、対応するセルの無線アクセス技術（ＲＡＴ）とのうちの、少なくとも１つを含んでよい。オフロード情報は、システム情報ブロック（ＳＩＢ）、専用シグナリング、または他の任意の無線信号中で受信することができる。ＷＴＲＵは、測定を実施して、ＷＴＲＵの位置を決定し、ＷＴＲＵがいずれかのオフロードエリアに入ったかどうか判定することができる。オフロードエリア情報がもはや有効でないと決定されると、ＷＴＲＵはオフロードエリア情報を削除することができる。
【図面の簡単な説明】
【０００６】
添付の図面と共に例として提供する後続の記述から、より詳細な理解を得ることができる。
【図１Ａ】１または複数の開示される実施形態をその中で実現できる例示的な通信システムのシステム図である。
【図１Ｂ】図１Ａに示される通信システム内で使用できる例示的なワイヤレス送受信ユニット（ＷＴＲＵ）のシステム図である。
【図１Ｃ】図１Ａに示される通信システム内で使用できる例示的な無線アクセスネットワークおよび例示的なコアネットワークのシステム図である。
【図２Ａ】異種ネットワークにおけるスモールセル発見のための例示的な方法の流れ図である。
【図２Ｂ】異種ネットワークにおけるスモールセル発見のための例示的な方法の流れ図である。
【図２Ｃ】異種ネットワークにおけるスモールセル発見のための例示的な方法の流れ図である。
【発明を実施するための形態】
【０００７】
図１Ａは、１または複数の開示される実施形態をその中で実現できる例示的な通信システム１００の図である。通信システム１００は、音声、データ、ビデオ、メッセージング、ブロードキャストなどのコンテンツを複数のワイヤレスユーザに提供する、多元接続システムとすることができる。通信システム１００は、複数のワイヤレスユーザが、ワイヤレス帯域幅を含めたシステムリソースの共有を通してこのようなコンテンツにアクセスするのを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１または複数のチャネルアクセス方法を採用することができる。
【０００８】
図１Ａに示すように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでよいが、開示される実施形態が任意の数のＷＴＲＵ、基地局、ネットワーク、および／またはネットワーク要素を企図することは理解されるであろう。各ＷＴＲＵ１０２ａ、１０２ｂ、１０２ｃ、１０２ｄは、ワイヤレス環境で動作および／または通信するように構成された任意のタイプのデバイスとすることができる。例として、ＷＴＲＵ１０２ａ、１０２ｂ、１０２ｃ、１０２ｄは、ワイヤレス信号を送信および／または受信するように構成されてよく、ユーザ機器（ＷＴＲＵ）、移動局、固定またはモバイルの加入者ユニット、ページャ、セルラー電話機、パーソナルディジタルアシスタント（ＰＤＡ）、スマートフォン、ラップトップ、ネットブック、パーソナルコンピュータ、ワイヤレスセンサ、消費者電子機器などを含み得る。
【０００９】
通信システム１００はまた、基地局１１４ａおよび基地局１１４ｂを含んでよい。各基地局１１４ａ、１１４ｂは、ＷＴＲＵ１０２ａ、１０２ｂ、１０２ｃ、１０２ｄのうちの少なくとも１つとワイヤレスにインターフェイス接続して、コアネットワーク１０６、インターネット１１０、および／または他のネットワーク１１２など、１または複数の通信ネットワークへのアクセスを容易にするように構成された、任意のタイプのデバイスとすることができる。例として、基地局１１４ａ、１１４ｂは、ベーストランシーバステーション（ＢＴＳ）、Ｎｏｄｅ−Ｂ、ｅＮｏｄｅＢ、Ｈｏｍｅ  ＮｏｄｅＢ、Ｈｏｍｅ  ｅＮｏｄｅＢ、サイトコントローラ、アクセスポイント（ＡＰ）、ワイヤレスルータなどとすることができる。基地局１１４ａ、１１４ｂはそれぞれ単一の要素として描かれているが、基地局１１４ａ、１１４ｂが任意の数の相互接続された基地局および／またはネットワーク要素を含んでよいことは理解されるであろう。
【００１０】
基地局１１４ａはＲＡＮ１０４の一部とすることができ、ＲＡＮ１０４はまた、基地局コントローラ（ＢＳＣ）、無線ネットワークコントローラ（ＲＮＣ）、中継ノードなど、他の基地局および／またはネットワーク要素（図示せず）を含んでもよい。基地局１１４ａおよび／または基地局１１４ｂは、特定の地理領域内でワイヤレス信号を送信および／または受信するように構成されてよく、この地理領域はセル（図示せず）と呼ばれることがある。セルはさらに、セルセクタに分割することができる。例えば、基地局１１４ａに関連するセルを３つのセクタに分割することができる。したがって、一実施形態では、基地局１１４ａは、３つの送受信機、すなわちセルの各セクタにつき１つの送受信機を備えてよい。別の実施形態では、基地局１１４ａは、多入力多出力（ＭＩＭＯ）技術を採用することができ、したがって、セルの各セクタにつき複数の送受信機を利用することができる。
【００１１】
基地局１１４ａ、１１４ｂは、エアインターフェイス１１６を介してＷＴＲＵ１０２ａ、１０２ｂ、１０２ｃ、１０２ｄのうちの１または複数と通信することができ、エアインターフェイス１１６は、任意の適切なワイヤレス通信リンク（例えば無線周波数（ＲＦ）、マイクロ波、赤外線（ＩＲ）、紫外線（ＵＶ）、可視光など）とすることができる。エアインターフェイス１１６は、任意の適切な無線アクセス技術（ＲＡＴ）を使用して確立されてよい。
【００１２】
より具体的には、上に言及したように、通信システム１００は、多元接続システムとすることができ、ＣＤＭＡ、ＴＤＭＡ、ＦＤＭＡ、ＯＦＤＭＡ、ＳＣ−ＦＤＭＡなど、１または複数のチャネルアクセス方式を採用することができる。例えば、ＲＡＮ１０４中の基地局１１４ａ、およびＷＴＲＵ１０２ａ、１０２ｂ、１０２ｃは、ユニバーサルモバイルテレコミュニケーションズシステム（ＵＭＴＳ）地上無線アクセス（ＵＴＲＡ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）Ｔｅｒｒｅｓｔｒｉａｌ  Ｒａｄｉｏ  Ａｃｃｅｓｓ）などの無線技術を実装することができ、これにより、広帯域ＣＤＭＡ（ＷＣＤＭＡ（登録商標））を使用してエアインターフェイス１１６を確立することができる。ＷＣＤＭＡは、高速パケットアクセス（ＨＳＰＡ）および／または発展型（Ｅｖｏｌｖｅｄ）ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１３】
別の実施形態では、基地局１１４ａおよびＷＴＲＵ１０２ａ、１０２ｂ、１０２ｃは、発展型ＵＭＴＳ地上無線アクセス（Ｅ−ＵＴＲＡ）などの無線技術を実装することができ、これにより、ロングタームエボリューション（ＬＴＥ）および／またはＬＴＥアドバンスト（ＬＴＥ−Ａ）を使用してエアインターフェイス１１６を確立することができる。
【００１４】
他の実施形態では、基地局１１４ａおよびＷＴＲＵ１０２ａ、１０２ｂ、１０２ｃは、ＩＥＥＥ８０２．１６（すなわちワールドワイドインターオペラビリティフォーマイクロウェーブアクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、暫定標準（Ｉｎｔｅｒｉｍ  Ｓｔａｎｄａｒｄ）２０００（ＩＳ−２０００）、暫定標準９５（ＩＳ−９５）、暫定標準８５６（ＩＳ−８５６）、グローバルシステムフォーモバイルコミュニケーションズ（ＧＳＭ（登録商標）、Ｇｌｏｂａｌ  Ｓｙｓｔｅｍ  ｆｏｒ  Ｍｏｂｉｌｅ  ｃｏｍｍｕｎｉｃａｔｉｏｎｓ）、エンハンストデータレートフォーＧＳＭエボリューション（ＥＤＧＥ、Ｅｎｈａｎｃｅｄ  Ｄａｔａ  ｒａｔｅｓ  ｆｏｒ  ＧＳＭ  Ｅｖｏｌｕｔｉｏｎ）、ＧＳＭ  ＥＤＧＥ（ＧＥＲＡＮ）などの無線技術を実装することができる。
【００１５】
図１Ａの基地局１１４ｂは、例えばワイヤレスルータ、Ｈｏｍｅ  ＮｏｄｅＢ、Ｈｏｍｅ  ｅＮｏｄｅＢ、またはアクセスポイントとすることができ、事業所、家庭、車両、キャンパスなどの局所化されたエリア中でのワイヤレス接続性を容易にするために任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラーベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示すように、基地局１１４ｂは、インターネット１１０への直接接続を有することができる。したがって、基地局１１４ｂは、コアネットワーク１０６を介してインターネット１１０にアクセスすることは必要とされなくてよい。
【００１６】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１または複数に提供するように構成された任意のタイプのネットワークとすることができる。例えば、コアネットワーク１０６は、呼制御、課金サービス、モバイル位置ベースのサービス、前払い電話、インターネット接続性、ビデオ配信などを提供することができ、かつ／または、ユーザ認証など、高レベルのセキュリティ機能を実施することができる。図１Ａには示されていないが、ＲＡＮ１０４および／またはコアネットワーク１０６が、ＲＡＮ１０４と同じＲＡＴまたは異なるＲＡＴを採用する他のＲＡＮと、直接にまたは間接的に通信してもよいことは理解されるであろう。例えば、コアネットワーク１０６は、Ｅ−ＵＴＲＡ無線技術を利用しているであろうＲＡＮ１０４に接続されるのに加えて、ＧＳＭ無線技術を採用する別のＲＡＮ（図示せず）と通信してもよい。
【００１７】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしての働きをすることができる。ＰＳＴＮ１０８は、プレーンオールドテレフォンサービス（ＰＯＴＳ、ｐｌａｉｎ  ｏｌｄ  ｔｅｌｅｐｈｏｎｅ  ｓｅｒｖｉｃｅ）を提供する回路交換電話網を含み得る。インターネット１１０は、ＴＣＰ／ＩＰインターネットプロトコルスイート中の、伝送制御プロトコル（ＴＣＰ）、ユーザデータグラムプロトコル（ＵＤＰ）、およびインターネットプロトコル（ＩＰ）など、共通の通信プロトコルを使用する相互接続されたコンピュータネットワークおよびデバイスの地球規模システムを含み得る。ネットワーク１１２は、他のサービスプロバイダによって所有および／または運営される、有線またはワイヤレス通信ネットワークを含み得る。例えば、ネットワーク１１２は、ＲＡＮ１０４と同じＲＡＴまたは異なるＲＡＴを採用するであろう１または複数のＲＡＮに接続された、別のコアネットワークを含み得る。
【００１８】
通信システム１００中のＷＴＲＵ１０２ａ、１０２ｂ、１０２ｃ、１０２ｄのいくつかまたは全ては、マルチモード能力を備えることができる。すなわち、ＷＴＲＵ１０２ａ、１０２ｂ、１０２ｃ、１０２ｄは、種々のワイヤレスリンクを介して種々のワイヤレスネットワークと通信するために、複数の送受信機を備えてよい。例えば、図１Ａに示すＷＴＲＵ１０２ｃは、セルラーベースの無線技術を採用することができる基地局１１４ａと、また、ＩＥＥＥ８０２無線技術を採用することができる基地局１１４ｂと、通信するように構成されてよい。
【００１９】
図１Ｂは、例示的なＷＴＲＵ１０２のシステム図である。図１Ｂに示すように、ＷＴＲＵ１０２は、プロセッサ１１８、送受信機１２０、送受信要素１２２、スピーカ／マイクロホン１２４、キーパッド１２６、ディスプレイ／タッチパッド１２８、取外し不可メモリ１３０、取外し可能メモリ１３２、電源１３４、全地球測位システム（ＧＰＳ）チップセット１３６、および他の周辺装置１３８を備えてよい。ＷＴＲＵ１０２が一実施形態との整合性を維持しながら前述の要素の任意のサブコンビネーションを備えてよいことは理解されるであろう。
【００２０】
プロセッサ１１８は、汎用プロセッサ、専用プロセッサ、従来型プロセッサ、ディジタル信号プロセッサ（ＤＳＰ）、複数のマイクロプロセッサ、ＤＳＰコアに関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態機械などとすることができる。プロセッサ１１８は、信号符号化、データ処理、電力制御、入出力処理、および／または、ＷＴＲＵ１０２がワイヤレス環境で動作できるようにする他の任意の機能を実施することができる。プロセッサ１１８は送受信機１２０に結合されてよく、送受信機１２０は送受信要素１２２に結合されてよい。図１Ｂではプロセッサ１１８と送受信機１２０とを別々のコンポーネントとして描いているが、プロセッサ１１８と送受信機１２０とが共に電子パッケージまたはチップ中で統合されてもよいことは理解されるであろう。
【００２１】
送受信要素１２２は、エアインターフェイス１１６を介して基地局（例えば基地局１１４ａ）との間で信号を送信または受信するように構成されてよい。例えば、一実施形態では、送受信要素１２２は、ＲＦ信号を送信および／または受信するように構成されたアンテナとすることができる。別の実施形態では、送受信要素１２２は、例えばＩＲ、ＵＶ、または可視光信号を送信および／または受信するように構成された、エミッタ／検出器とすることができる。さらに別の実施形態では、送受信要素１２２は、ＲＦ信号と光信号の両方を送受信するように構成されてよい。送受信要素１２２が任意の組合せのワイヤレス信号を送信および／または受信するように構成されてよいことは理解されるであろう。
【００２２】
加えて、図１Ｂでは送受信要素１２２が単一の要素として描かれているが、ＷＴＲＵ１０２は、任意の数の送受信要素１２２を備えてよい。より具体的には、ＷＴＲＵ１０２は、ＭＩＭＯ技術を採用することができる。したがって、一実施形態では、ＷＴＲＵ１０２は、エアインターフェイス１１６を介してワイヤレス信号を送受信するために、２つ以上の送受信要素１２２（例えば複数のアンテナ）を備えてよい。
【００２３】
送受信機１２０は、送受信要素１２２によって送信されることになる信号を変調し、送受信要素１２２によって受信された信号を復調するように構成されてよい。上に言及したように、ＷＴＲＵ１０２は、マルチモード能力を有することができる。したがって、送受信機１２０は、ＷＴＲＵ１０２が複数のＲＡＴ（例えばＵＴＲＡおよびＩＥＥＥ８０２．１１など）を介して通信できるようにするために、複数の送受信機を備えてよい。
【００２４】
ＷＴＲＵ１０２のプロセッサ１１８は、スピーカ／マイクロホン１２４、キーパッド１２６、および／または、ディスプレイ／タッチパッド１２８（例えば液晶ディスプレイ（ＬＣＤ）表示ユニットもしくは有機発光ダイオード（ＯＬＥＤ）表示ユニット）に結合されてよく、かつ、これらからユーザ入力データを受け取ることができる。プロセッサ１１８はまた、スピーカ／マイクロホン１２４、キーパッド１２６、および／または、ディスプレイ／タッチパッド１２８にユーザデータを出力することができる。加えて、プロセッサ１１８は、取外し不可メモリ１３０および／または取外し可能メモリ１３２など、任意のタイプの適切なメモリからの情報にアクセスすること、およびそのようなメモリにデータを記憶することができる。取外し不可メモリ１３０は、ランダムアクセスメモリ（ＲＡＭ）、読取専用メモリ（ＲＯＭ）、ハードディスク、または他の任意のタイプのメモリ記憶デバイスを含み得る。取外し可能メモリ１３２は、加入者識別モジュール（ＳＩＭ）カード、メモリスティック、セキュアディジタル（ＳＤ）メモリカードなどを含み得る。他の実施形態では、プロセッサ１１８は、サーバまたはホームコンピュータ（図示せず）上のメモリなど、ＷＴＲＵ１０２上に物理的に位置しないメモリからの情報にアクセスすること、およびそのようなメモリにデータを記憶することができる。
【００２５】
プロセッサ１１８は、電源１３４から電力を受け取ることができ、ＷＴＲＵ１０２中の他のコンポーネントへの電力を分配および／または制御するように構成されてよい。電源１３４は、ＷＴＲＵ１０２に電力を供給するための任意の適切なデバイスとすることができる。例えば、電源１３４は、１または複数の乾電池バッテリ（例えばニッケルカドミウム（ＮｉＣｄ）、ニッケル亜鉛（ＮｉＺｎ）、ニッケル金属水素化物（ＮｉＭＨ）、リチウムイオン（Ｌｉ−ｉｏｎ）等）、太陽電池、燃料電池などを含み得る。
【００２６】
プロセッサ１１８はまた、ＧＰＳチップセット１３６にも結合されてよく、ＧＰＳチップセット１３６は、ＷＴＲＵ１０２の現在位置に関する位置情報（例えば経度と緯度）を提供するように構成されてよい。ＧＰＳチップセット１３６からの情報に加えて、またはそれに代えて、ＷＴＲＵ１０２は、基地局（例えば基地局１１４ａ、１１４ｂ）からエアインターフェイス１１６を介して位置情報を受け取ることができ、かつ／または、２つ以上の近くの基地局から受け取られている信号のタイミングに基づいてその位置を決定することができる。ＷＴＲＵ１０２が、一実施形態との整合性を維持しながら、任意の適切な位置決定方法を用いて位置情報を取得することができることは理解されるであろう。
【００２７】
プロセッサ１１８はさらに、他の周辺装置１３８にも結合されてよく、周辺装置１３８は、追加の機構、機能、および／または有線もしくはワイヤレス接続性をもたらす、１または複数のソフトウェアおよび／またはハードウェアモジュールを含み得る。例えば、周辺装置１３８は、加速度計、電子コンパス、衛星送受信機、ディジタルカメラ（写真またはビデオ用）、ユニバーサルシリアルバス（ＵＳＢ）ポート、振動デバイス、テレビジョン送受信機、ハンズフリーヘッドセット、Ｂｌｕｅｔｏｏｔｈ（登録商標）モジュール、周波数変調（ＦＭ）無線ユニット、ディジタル音楽プレーヤ、メディアプレーヤ、ビデオゲームプレーヤモジュール、インターネットブラウザなどを含み得る。
【００２８】
図１Ｃは、一実施形態によるＲＡＮ１０４およびコアネットワーク１０６のシステム図である。上に言及したように、ＲＡＮ１０４は、Ｅ−ＵＴＲＡ無線技術を採用して、エアインターフェイス１１６を介してＷＴＲＵ１０２ａ、１０２ｂ、１０２ｃと通信することができる。ＲＡＮ１０４はまた、コアネットワーク１０６とも通信することができる。
【００２９】
ＲＡＮ１０４は、ｅＮｏｄｅ−Ｂ１６０ａ、１６０ｂ、１６０ｃを含んでよいが、ＲＡＮ１０４が一実施形態との整合性を維持しながら任意の数のｅＮｏｄｅ−Ｂを含んでよいことは理解されるであろう。ｅＮｏｄｅ−Ｂ１６０ａ、１６０ｂ、１６０ｃはそれぞれ、エアインターフェイス１１６を介してＷＴＲＵ１０２ａ、１０２ｂ、１０２ｃと通信するために、１または複数の送受信機を備えてよい。一実施形態では、ｅＮｏｄｅ−Ｂ１６０ａ、１６０ｂ、１６０ｃは、ＭＩＭＯ技術を実装することができる。したがって、例えばｅＮｏｄｅ−Ｂ１６０ａは、複数のアンテナを使用して、ＷＴＲＵ１０２ａとの間でワイヤレス信号を送受信することができる。
【００３０】
各ｅＮｏｄｅ−Ｂは、特定のセル（図示せず）に関連してよく、無線リソース管理決定、ハンドオーバ決定、アップリンクおよび／またはダウンリンクにおけるユーザのスケジューリングなどを処理するように構成されてよい。図２Ｃに示すように、ｅＮｏｄｅ−Ｂは、Ｘ２インターフェイスを介して相互と通信することができる。
【００３１】
図１Ｃに示すコアネットワーク１０６は、モビリティ管理エンティティ（ＭＭＥ）１６２、サービングゲートウェイ１６４、およびパケットデータネットワーク（ＰＤＮ）ゲートウェイ１６６を含んでよい。これらの各要素はコアネットワーク１０６の一部として描かれているが、これらの要素のいずれか１つがコアネットワークオペレータ以外のエンティティによって所有および／または運営されてもよいことは理解されるであろう。
【００３２】
ＭＭＥ１６２は、Ｓ１インターフェイスを介してＲＡＮ１０４中の各ｅＮｏｄｅ−Ｂ  １６０ａ、１６０ｂ、１６０ｃに接続されてよく、制御ノードとしての働きをすることができる。例えば、ＭＭＥ１６２は、ＷＴＲＵ１０２ａ、１０２ｂ、１０２ｃのユーザを認証すること、ベアラをアクティブ化／非アクティブ化すること、ＷＴＲＵ１０２ａ、１０２ｂ、１０２ｃの最初のアタッチ中に特定のサービングゲートウェイを選択することなどを担うことができる。ＭＭＥ１６２はまた、ＲＡＮ１０４と、ＧＳＭやＷＣＤＭＡなど他の無線技術を採用する他のＲＡＮ（図示せず）との間で切り替えるための制御プレーン機能を提供することもできる。
【００３３】
サービングゲートウェイ１６４は、Ｓ１インターフェイスを介してＲＡＮ１０４中の各ｅＮｏｄｅＢに接続されてよい。サービングゲートウェイ１６４は一般に、ＷＴＲＵ１０２ａ、１０２ｂ、１０２ｃとの間でユーザデータパケットをルーティングおよび転送することができる。サービングゲートウェイ１４４はまた、ｅＮｏｄｅＢ間ハンドオーバ中にユーザプレーンをつなぎ留めること、ダウンリンクデータがＷＴＲＵ１０２ａ、１０２ｂ、１０２ｃに利用可能なときにページングをトリガすること、ＷＴＲＵ１０２ａ、１０２ｂ、１０２ｃのコンテキストを管理および記憶することなど、他の機能を実施することもできる。
【００３４】
サービングゲートウェイ１６４はまた、ＰＤＮゲートウェイ１６６にも接続されてよく、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３５】
コアネットワーク１０６は、他のネットワークとの通信を容易にすることができる。例えば、コアネットワーク１０６は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。例えば、コアネットワーク１０６は、コアネットワーク１０６とＰＳＴＮ１０８との間のインターフェイスとしての働きをするＩＰゲートウェイ（例えばＩＰマルチメディアサブシステム（ＩＭＳ）サーバ）を備えるか、またはそのようなＩＰゲートウェイと通信することができる。加えて、コアネットワーク１０６は、他のサービスプロバイダによって所有および／または運営される他の有線またはワイヤレスネットワークを含み得るネットワーク１１２へのアクセスを、ＷＴＲＵ１０２ａ、１０２ｂ、１０２ｃに提供することができる。
【００３６】
ＬＴＥ位置決めプロトコル（ＬＰＰ、ＬＴＥ  ｐｏｓｉｔｉｏｎｉｎｇ  ｐｒｏｔｏｃｏｌ）が、発展型サービングモビリティロケーションサーバ（Ｅ−ＳＭＬＣ、ｅｖｏｌｖｅｄ  ｓｅｒｖｉｎｇ  ｍｏｂｉｌｉｔｙ  ｌｏｃａｔｉｏｎ  ｓｅｒｖｅｒ）またはセキュアユーザプレーンフォーロケーション（ＳＵＰＬ）ロケーションプラットフォーム（ＳＬＰ、ｓｅｃｕｒｅ  ｕｓｅｒ  ｐｌａｎｅ  ｆｏｒ  ｌｏｃａｔｉｏｎ（ＳＵＰＬ）ｌｏｃａｔｉｏｎ  ｐｌａｔｆｏｒｍ）などのロケーションサーバと、ＳＵＰＬ対応端末（ＳＥＴ、ＳＵＰＬ  ｅｎａｂｌｅｄ  ｔｅｒｍｉｎａｌ）またはＷＴＲＵなどのターゲットデバイスとの間でポイントツーポイントに使用され、それにより、１または複数の基準ソースによって得られる位置関連の測定値を用いてターゲットデバイスが位置決めされる。ロケーションサーバとターゲットデバイスとの間でＬＰＰセッションが使用されて、位置関連の測定値もしくは位置推定値が得られるか、またはアシスタンスデータが転送される。ＬＰＰセッションは、ＷＴＲＵ、ｅＮＢ、Ｅ−ＳＭＬＣのいずれかによって開始することができる。ｅＮＢによって開始される位置決めの場合、ｅＮＢは、位置サービス要求をＭＭＥに送り、次いでＭＭＥは、これをＥ−ＳＭＬＣに転送する。Ｅ−ＳＭＬＣは位置サービス要求を処理するが、これは、ＷＴＲＵベースの位置決めおよび／もしくはＷＴＲＵによって支援される位置決めを助けるために、ターゲットＷＴＲＵにアシスタンスデータを転送することを含んでよく、かつ／または、ターゲットＷＴＲＵを位置決めすることを含んでよい。次いでＥ−ＳＭＬＣは、位置サービスの結果をＭＭＥに返す（例えば、ＷＴＲＵについての位置推定値、および／または、ＷＴＲＵに転送されたアシスタンスデータがあればその表示）。ＭＭＥ以外のエンティティ（ｅＮＢなど）によって要求された位置サービスの場合は、ＭＭＥは位置サービス結果をｅＮＢに返す。
【００３７】
ＷＴＲＵベースの観測到着時間差（ＯＴＤＯＡ、ｏｂｓｅｒｖｅｄ  ｔｉｍｅ  ｄｉｆｆｅｒｅｎｃｅ  ｏｆ  ａｒｒｉｖａｌ）位置推定を支援するために、ダウンリンク物理送信において、位置決め基準信号（ＰＲＳ、ｐｏｓｉｔｉｏｎｉｎｇ  ｒｅｆｅｒｅｎｃｅ  ｓｉｇｎａｌ）が追加された。ＰＲＳは、セルの物理セル識別（ＰＣＩ）によるリソースマッピングオフセットを伴って、構成されたダウンリンクサブフレーム中のリソースブロック中で送信される。
【００３８】
トラフィックをマクロセルからスモールセルにオフロードすることにより、システム容量を最大限にすることができる。「スモールセル」とは、そのカバレッジエリアが通常限られたサイズである、ＷＴＲＵからアクセスできるセルを指すものとすることができ、オープンセルまたはハイブリッドセルなどである（ただしこれらに限定されない）。
【００３９】
マクロレイヤが、スモールセルレイヤとは別の周波数上で展開されるとき、マクロレイヤ上でバッテリ効率の高い方式で（アイドルモードまたは接続モードで）動作しているＷＴＲＵは、そのサービングセルの品質または信号強度が低くなったときに、周波数間測定値をとることができる。したがって、サービングセルが十分に強いようなエリアで展開されるスモールセルへのオフロードは、行われない可能性がある。１つの例外は、スモールセルが、ＷＴＲＵがメンバとして属するＣＳＧまたはハイブリッドセルであるときであろう。この場合、ＷＴＲＵは、接続モードにあるならば、自律探索を用いて周波数間測定の必要性を検出し、近接性表示をネットワークに送信することができる。
【００４０】
ＷＴＲＵのバッテリ消費を損なうことなく、異なる周波数レイヤにおけるスモールセルへのオフロードを可能にする方法について、より詳細に以下に述べる。本明細書に述べる方法は、同じ周波数におけるスモールセル、または異なる無線アクセス技術（ＲＡＴ）におけるスモールセルにも、適用可能とすることができる。スモールセルは、例えばＬＴＥ、ＵＭＴＳ、ＧＥＲＡＮ、または８０２．１１セルとすることができる。
【００４１】
スモールセルを検出するための情報の取得および記憶を可能にする方法を、本明細書に開示する。
【００４２】
ＷＴＲＵをオフロードできる少なくとも１つのスモールセルの少なくとも１つの位置に関する情報をＷＴＲＵが取得および記憶するのを可能にする方法について述べる。後続の例では、特定の位置についてのこのような情報を「オフロードエリア情報」と呼ぶ場合がある。
【００４３】
オフロードエリア情報は、以下のうちの１つまたは組合せを含むことができるが、これらに限定されない。すなわち、少なくとも１つのスモールセルを含み得る少なくとも１つのオフロードエリアであり、これは、中心点（例えばＧＰＳ座標で定義される）および半径によって提供されるエリアと、ＧＰＳ座標のセットと、いくつかのＧＰＳ座標で定義されるエリア（例えば、Ｘ座標は、スモールセルが利用可能である領域の限界を定義する）と、少なくとも１つのマクロセルのカバレッジエリア、およびこの少なくとも１つのマクロセルの識別（ＰＣＩ、ＣＧＩ）と、上記のうちの少なくとも２つの交差点とのうちの、少なくとも１つとすることができる。オフロードエリア情報の他の例は、任意の基準信号（例えば、位置基準信号（ＰＲＳ）、ＣＳＩ−ＲＳ、ＣＲＳ）の基準リスト；ＰＣＩ、もしくはＰＣＩのリスト；セル識別、もしくはセル識別のリスト；セルが位置する周波数；対応するセルのＲＡＴ；または、前述の位置情報のいずれかで定義される、特定のマクロセル下のエリア；前述の周知の位置決め方法のいずれかによって決定されるＷＴＲＵの速度、を含んでよい。
【００４４】
ＷＴＲＵはその後、本明細書でより詳細に後述するように、少なくとも１つの位置についての記憶されたオフロードエリア情報を使用して、以下のうちの少なくとも１つを実施することができる。すなわち、アイドルモードで、周波数間もしくはＲＡＴ間測定を開始し、オフロードエリアに含まれるスモールセルへの潜在的なセル再選択を可能にすること、または、接続モードで、オフロードエリアに含まれるスモールセルへの潜在的なハンドオーバを可能にするための適切な更新済み構成（例えば、周波数間もしくはＲＡＴ間もしくは周波数内測定構成、ＤＲＸ構成、またはモビリティ状態推定構成）を適時に適宜ネットワークが提供できるようにするためにオフロード表示を送信することである。
【００４５】
オフロード表示をＲＡＮに送信する方法を、本明細書に開示する。この実施形態では、ＷＴＲＵは、「オフロード表示」をＲＡＮに送ることができ、それにより、１または複数の近傍セル（例えば、別の周波数もしくはＲＡＴで動作するピコセル）の付近に入りつつあることもしくは付近から離れつつあること、および、これらのセルのうちの１つへの潜在的なハンドオーバ（オフロードの目的で）のために周波数間もしくはＲＡＴ間測定によって構成され得ることを示すことができ、または、離れつつある表示の場合は、異なる周波数もしくはＲＡＴに対する測定構成を除去することができる。
【００４６】
ある速度よりも速くマクロレイヤの中を移動しているＷＴＲＵは、スモールセルレイヤへのオフロードのためのよい候補ではない可能性がある。この場合、ネットワークは、ＷＴＲＵ速度情報を使用して、オフロードが必要とされるか否かの判定を支援することができる。
【００４７】
「オフロード表示」メッセージは、以下の情報要素のうちのいずれかを含むことができる。すなわち、ＩＥは、ＷＴＲＵがトラフィックオフロードのための候補であることを示すための新しいＲＲＣメッセージ「オフロード表示」と、ＷＴＲＵからアクセスできる可能性のあるＣＳＧセルの付近にＷＴＲＵがあることをＲＡＮに示すのに使用できる既存の「近接性表示」ＲＲＣメッセージとを含むが、これらに限定されない。既存の「近接性表示」ＲＲＣメッセージを修正して、オフロード目的に使用できる追加の情報要素を含め、表示送信の理由がオフロード目的であることを示すことができる。または、既存のＲＲＣ測定報告メッセージを修正して、オフロード目的に使用できる追加の情報要素を含めてもよい。さらに別の実施形態では、新しい測定タイプ「オフロード表示」を導入し、これをＲＲＣ測定報告の中で報告することができる。さらに、「近接性表示」測定タイプを拡張して、オフロード情報を提供し、近接がＣＳＧではなくオフロードのせいであることまたはその両方のせいであることをネットワークに明示的に示すことができる。
【００４８】
オフロード表示メッセージはまた、以下の情報要素のうちの少なくとも１つを含むことができる。すなわち、ＷＴＲＵがオフロードエリアに入りつつあるのかオフロードエリアを離れつつあるのかの表示、ＷＴＲＵのオフロード先となり得るオフロードエリア（識別子またはインデックスまたはオフロードエリアタグで示すことができる）、ＷＴＲＵがオフロードされ得る周波数、ＷＴＲＵがオフロードされ得る潜在的なターゲットセル（複数可）のセルＩＤ、ＷＴＲＵがオフロードされ得る潜在的なターゲットセル（複数可）のＰＣＩ、ＷＴＲＵのオフロード先となり得る無線アクセス技術、ＷＴＲＵが位置するエリア（例えば、ＧＰＳ座標（複数可）または他の位置ベースの情報を提供することができる）、ＷＴＲＵモビリティ状態情報である。加えて、セルの無線アクセス技術を示すことができる（例えばＬＴＥ、ＵＭＴＳ、８０２．１１など）。８０２．１１セルの場合、ＷＴＲＵはさらに、チャネル、ＳＳＩＤ、ＭＡＣアドレスなど、追加の情報を提供することができる。
【００４９】
オフロード表示の送信は、オフロードエリアに入ったとＷＴＲＵが判定したときに、トリガされてよい。ＷＴＲＵがオフロードエリアに入ったことの判定は、その位置を、記憶済みオフロードエリア情報、またはＲＡＮによって提供されるオフロードエリア情報と比較することによって行うことができる。
【００５０】
オフロード表示の送信は、オフロードエリアを離れたとＷＴＲＵが判定したときに、トリガされてよい。ＷＴＲＵがオフロードエリアから離れたことの判定は、その位置を、記憶済みオフロードエリア情報、またはＲＡＮによって提供されるオフロードエリア情報と比較することによって行うことができる。
【００５１】
前述の条件について、ＷＴＲＵは、ＧＰＳ座標推定、ＬＴＥ位置決め方法（例えば、複数の送信点から送信されたＰＲＳを使用してその位置を推定する）、または他の任意の位置決め方法など（ただしこれらに限定されない）、任意の周知の位置決め技法を使用して、その現在位置を決定することができる。
【００５２】
さらに、ＵＥは、検出された近傍セル、またはしきい値よりも高いチャネル測定値を有する近傍セルに基づいて、その現在位置を決定することができることが理解される。
【００５３】
オフロード表示の送信をトリガするための前述の条件は、本明細書に述べる条件のいずれかに基づいて、さらに精緻化することができる。
【００５４】
例えば、トリガすることはさらに、ＵＥのモビリティ状態を考慮に入れることができる。例えば、ＷＴＲＵは、それが「低モビリティ状態」および／または「中間モビリティ状態」にあると判定した場合に、オフロード表示を送信する。より具体的には、入りつつある条件をＵＥが判定した場合であって、ＵＥが「低モビリティ」状態にあると考えられる場合は、オフロード表示がトリガされる。そうではなく、ＵＥが低モビリティ状態にない場合は、オフロード表示を送信しない。ＵＥモビリティ状態の判定は、ＧＰＳ情報、ＬＴＥ位置決め方法、または他の任意の位置決め方法など（ただしこれらに限定されない）、任意の周知の位置決め方法に基づいて行うことができる。例えば、ＷＴＲＵは、ＧＰＳ測定値を介してまたはＧＰＳ座標の変化率を介して計算された速度に基づいて、そのモビリティ状態を判定することができる。ＷＴＲＵ速度を所定のしきい値と比較して、ＷＴＲＵが低モビリティ状態にあるか高モビリティ状態にあるか判定することができる。「低モビリティ状態」はまた、１または複数の送信点によって送信されたＤＬ基準信号の変化率に基づいて判定することもできる。「低モビリティ状態」はまた、最良セルイベントまたはハンドオーバレートの変化率に基づいて判定することもできる。「低モビリティ状態」はまた、ＬＴＥ位置決め方法を使用して計算されたＷＴＲＵ位置の変化率に基づいて判定することもできる（例えば、位置基準シンボルを使用してＷＴＲＵ位置が決定される）。ＷＴＲＵ位置の変化率を所定のしきい値と比較して、ＷＴＲＵが低モビリティ状態にあるか高モビリティ状態にあるか判定することができる。
【００５５】
ＵＥのモビリティ状態は、既存のモビリティ状態推定プロシージャに依存することができる。次いでＵＥは、モビリティ状態を、オフロードエリアに入りつつあることまたはオフロードエリアを離れつつあることの判定と共に使用して、オフロード表示をトリガすることができる。一例では、ＷＴＲＵがオフロードエリア中にあってすでに表示をトリガ済みであり、モビリティ状態が「高モビリティ状態」に変化した場合、ＷＴＲＵは、オフロード表示をトリガして、エリアを離れつつあるという情報またはモビリティ状態を変更したという情報を提供することができる。
【００５６】
トリガすることはまた、トラフィックアクティビティを考慮に入れることができ、したがって、ＷＴＲＵは、トラフィックアクティビティに基づいてオフロード表示を送信する。すなわち、トラフィックの高いＷＴＲＵは、別のセルへのオフロードのための候補とすることができる。例えば、ＷＴＲＵが高トラフィックアクティビティＷＴＲＵであるという判定は、ある期間にわたって平均されたＤＬおよび／またはＵＬデータレート転送に基づくことができる。トリガすることはまた、ネットワーク表示および構成を考慮に入れることができ、したがって、ＷＴＲＵは、ＲＲＣ構成によってまたはシステム情報中で表示（または構成）されるようにオフロード表示の送信がネットワークによって許可される場合は、オフロード表示を送信する。トリガすることはまた、制限タイマによって制限することができる。制限タイマは、最後の「オフロード表示」から制限時間が経過しない限り、ＷＴＲＵが新しいオフロード表示メッセージをトリガしないよう制限する（例えば、ＷＴＲＵは、構成された期間にわたって新しいオフロード表示を送信しないよう制限される）。オフロード表示はさらに、一旦トリガされて（例えばＵＥがオフロードエリア中にあり）、新しいセルへのハンドオーバが行われた場合に、トリガされてよい（例えば、新しいセルへのハンドオーバ時に、新しいオフロード表示がトリガされて、オフロードの新しいマクロセルが通知される）。あるいは、ＷＴＲＵは表示を再送する必要はなくてよいが、ソースｅＮＢは、ハンドオーバ準備（要求）段階で情報をターゲットｅＮＢに転送する。
【００５７】
アイドルモードにおける周波数間測定の制御を、本明細書に開示する。ＷＴＲＵは、以下の方法のうちの少なくとも１つに従って、記憶済みオフラインエリア情報に基づいて、アイドルモードで周波数間またはＲＡＴ間測定を開始または停止することができる。ＷＴＲＵは、少なくとも１つの周波数またはＲＡＴに対して、この周波数またはＲＡＴ上でセルが展開されているオフロードエリアにＷＴＲＵが入ったと少なくとも判定した場合に、周波数間またはＲＡＴ間測定を開始することができる。ＷＴＲＵがオフロードエリアに入ったことの判定は、その位置を、記憶済みオフロードエリア情報、またはＲＡＮによって提供されるオフロードエリア情報と比較することによって行うことができる。ＷＴＲＵは、少なくとも１つの周波数またはＲＡＴに対して、この周波数またはＲＡＴ上でセルが展開されているオフロードエリアをＷＴＲＵが離れた（かつ、ＷＴＲＵが、この周波数またはＲＡＴ上でセルが展開されている他のどんなオフロードエリア中にもない）と判定した場合に、周波数間またはＲＡＴ間測定を停止することができる。ＷＴＲＵがオフロードエリアを離れたことの判定は、その位置を、記憶済みオフロードエリア情報、またはＲＡＮによって提供されるオフロードエリア情報と比較することによって行うことができる。一例では、ＷＴＲＵは、ＷＴＲＵが少なくともスモールセルまたはオフロードセルの付近にあると決定したとき、スモールセルの周波数を、セル再選択の目的で最も優先される周波数と見なすことができる。
【００５８】
周波数間またはＲＡＴ間測定を開始または停止するための前述の条件は、本明細書に提供する例のいずれかに基づいて、さらに精緻化することができる。ＷＴＲＵは、あるモビリティ状態、例えば「低モビリティ状態」または「中間モビリティ状態」にあると判定した場合に、周波数間またはＲＡＴ間測定を開始することができる。「低モビリティ状態」の判定は、ＧＰＳ情報に基づくことができる。例えば、ＷＴＲＵは、ＧＰＳ測定値を介してまたはＧＰＳ座標の変化率を介して計算された速度に基づいて、そのモビリティ状態を決定することができる。ＷＴＲＵ速度を所定のしきい値と比較して、ＷＴＲＵが低モビリティ状態にあるか高モビリティ状態にあるか判定することができる。あるいは、「低モビリティ状態」の判定は、１または複数の送信点によって送信されたＤＬ基準信号の変化率に基づくこともできる。あるいは、「低モビリティ状態」の決定は、最良セルイベントまたはハンドオーバレートの変化率に基づくこともできる。あるいは、「低モビリティ状態」の決定は、ＬＴＥ位置決め方法を使用して計算されたＷＴＲＵ位置の変化率に基づくこともできる（例えば、位置基準シンボルを使用してＷＴＲＵ位置が決定される）。ＷＴＲＵ位置の変化率を所定のしきい値と比較して、ＷＴＲＵが低モビリティ状態にあるか高モビリティ状態にあるか判定することができる。
【００５９】
ＵＥのモビリティ状態は、既存のモビリティ状態推定プロシージャに依存することができる。次いでＵＥは、モビリティ状態を、オフロードエリアに入りつつあることまたはオフロードエリアを離れつつあることの判定と共に使用して、周波数間またはＲＡＴ間測定の開始を決定することができる。一例では、ＷＴＲＵがオフロードエリア中にあってすでに表示をトリガ済みであり、モビリティ状態が「高モビリティ状態」に変化した場合、ＷＴＲＵは、オフロード表示をトリガして、ＷＴＲＵがエリアを離れつつあるという情報またはＷＴＲＵがモビリティ状態を変更したという情報を提供することができる。
【００６０】
ＷＴＲＵは、あるモビリティ状態、例えば「低モビリティ状態」または「中間モビリティ状態」にもはやないと判定した場合には、オフロードエリアを離れていなくても周波数間またはＲＡＴ間測定を停止することができる。
【００６１】
ＷＴＲＵは、構成された期間にわたって周波数間またはＲＡＴ間測定を実施して、付近にどんな有効な候補セルも検出しなかった場合に、測定の実施を停止することができる。このことはまた、ＷＴＲＵに記憶されたオフロードエリア情報がもはや有効でないかもしれないことを示すことができる。場合によっては、このことが決定されると、ＷＴＲＵは、記憶された情報を除去することができる。
【００６２】
オフロードエリア情報の管理について、本明細書に述べる。これらの方法を使用して、オフロード表示メッセージを送信する可能性のため（接続モードで）または周波数間測定の開始のため（アイドルモードで）に必要なオフロードエリア情報がＷＴＲＵに記憶されているかどうか判定することができる。
【００６３】
ＷＴＲＵは、前に検出されたスモールセルに基づいてオフロードエリア情報を自律的に記憶することができる。例えば、スモールセル、それらの周波数、位置などの、データベースまたはフィンガプリントを構築することができる。
【００６４】
あるいは、ネットワークは、オフロードエリア情報をＷＴＲＵに明示的に提供して、ＵＥがスモールセルの近傍性を発見および報告するのを支援することができる。あるいは、ＷＴＲＵは、情報の自律的な記憶と、ネットワークによって明示的に提供された情報に基づくこととの組合せを使用して、オフロードエリア情報を構築することができる。
【００６５】
一方法では、ＷＴＲＵは、少なくとも１つのスモールセルについての有効なオフロードエリア情報が不足していること、またはオフロードエリア情報を要求したいこと、またはオフロードエリア情報の取得を開始したいことを、決定することができる。このような決定は、有効なオフロードエリア情報が利用可能であることが必要なスモールセルに関する受信された情報（ＰＣＩ、ＣＧＩ、ＣＳＧ  ＩＤ、動作周波数など）を使用して、少なくとも１つのスモールセルについてこのような情報が利用可能でないことを検出することによって、可能にすることができる。ＷＴＲＵはまた、マクロセルに関する情報（ＰＣＩ、動作周波数など）を受信することによって、または、マクロセル（このマクロセルに接続されたもしくは滞在するＷＴＲＵが、有効なオフロードエリア情報を有する必要がある）に接続することによって、少なくとも１つのスモールセルについての有効なオフロードエリア情報が不足していると決定することができる。ＷＴＲＵはまた、オフロードエリア情報をネットワークレベルで識別する値（オフロードエリアタグ）を受信し、この識別子に関連するオフロードエリア情報を記憶したかどうか判定することによって、少なくとも１つのスモールセルについての有効なオフロードエリア情報が不足していると決定することができる。ＷＴＲＵはまた、マクロセルに関連するオフロードエリア情報を識別する値（オフロードエリアタグ）を受信し、この値を、このマクロセルについてのオフロードエリア情報が取得されたときにＷＴＲＵによって記憶された識別子と比較することによって、少なくとも１つのスモールセルについての有効なオフロードエリア情報が不足していると決定することができる。
【００６６】
ＷＴＲＵは、エリアを初めて訪れている場合であって、このエリアまたは接続されたセルについて何も記憶していない（例えば、ＰＣＩ、セルＩＤに基づいて）場合は、有効なオフロードエリア情報が不足していると決定することができる。
【００６７】
例えば、オフロードエリアタグが、あるマクロセルと、その付近のスモールセルのセットとに関連する場合がある。スモールセルのセットが修正されたか、またはこれらのセルに関連するオフロードエリア情報が修正されたとき（展開の変化のせいで）は常に、ネットワークは、オフロードエリアタグを異なる値に変更することができる。これにより、ＷＴＲＵは、記憶済みオフロードエリアタグが、ネットワークによって提供されたオフロードエリアタグとは異なる場合に、このマクロセルの付近のスモールセルに関するその記憶済みオフロードエリア情報が無効であることを検出することができる。
【００６８】
ＷＴＲＵはまた、ＷＴＲＵの速度がしきい値よりも低いと判定することによって、少なくとも１つのスモールセルについて有効なオフロードエリア情報が不足していることまたはオフロードエリア情報を要求もしくは取得したいことを決定することができ、しきい値は、事前定義済みであるかまたはより高いレイヤによって提供されたものであってよい。ＷＴＲＵはまた、最後のハンドオーバまたはセル再選択からいくらかの最小時間が経過したと判定することによって、少なくとも１つのスモールセルについて有効なオフロードエリア情報が不足していることまたはオフロードエリア情報を要求もしくは取得したいことを決定することができ、最小時間は、事前定義済みであるかまたはより高いレイヤによって提供されたものであってよい。ＷＴＲＵはまた、ＷＴＲＵが「低モビリティ」状態にあると決定することによって、少なくとも１つのスモールセルについて有効なオフロードエリア情報が不足していることまたはオフロードエリア情報を要求もしくは取得したいことを決定することができる。
【００６９】
ある速度よりも速くマクロレイヤの中を移動しているＷＴＲＵは、スモールセルレイヤへのオフロードのためのよい候補ではない可能性がある。この場合、ＷＴＲＵは、オフロードエリア情報が必要とされないと決定することができる。
【００７０】
ＷＴＲＵはまた、最後のハンドオーバまたはセル再選択からいくらかの最小時間が経過したと判定することによって、少なくとも１つのスモールセルについての有効なオフロードエリア情報が不足していると決定することができ、最小時間は、事前定義済みであるかまたはより高いレイヤによって提供されたものであってよい。これは、ＷＴＲＵが速く移動している場合にスモールセルレイヤへの時期尚早なオフロードを防止するためである。あるいは、ＷＴＲＵはまた、少なくとも１つのスモールセルについてのオフロードエリア情報が更新された時間を比較して、この時間が最大しきい値で決定される制限時間よりも前であると判定することによって、少なくとも１つのスモールセルについて、有効なオフロードエリア情報が不足していること、またはオフロードエリア情報を要求もしくは取得したいこと、またはオフロードエリア情報を更新（例えば修正、除去、追加）したいことを決定することができる。最大しきい値（または制限時間もしくは制限継続時間）は、事前定義済みであるかまたはネットワークによって提供されたものであってよい。ＷＴＲＵはまた、オフロードエリアが取得されてからの時間が制限時間を超える場合に、オフロードエリア情報が無効であると判定することができる。
【００７１】
ＷＴＲＵは、新しいマクロセルへのハンドオーバ時に、既存のオフロードエリア情報が無効であると判定することができる。例えば、マクロセルへのハンドオーバが行われた場合、ＷＴＲＵは、記憶されたオフロードエリア情報がもはや有効でなく除去できると決定することができる。ハンドオーバメッセージ中または新しいセルのＳＩＢ中で新しいオフロードエリア情報が提供された場合、ＷＴＲＵは、新しい情報を記憶することができる。あるいは、ハンドオーバ時、ＷＴＲＵは、前のオフロードエリア情報を保持することができる（他の上記の基準に基づいて無効と判定されるまで）。新しいマクロセルから、またはＲＲＣ再構成メッセージから新しいオフロードエリア情報が受信された場合、ＷＴＲＵは、記憶済みオフロードエリア情報を置換するか、あるいは、すでに記憶されたオフロードエリア情報に加えて新しいオフロードエリア情報も記憶することができる。
【００７２】
オフロードエリア情報が無効であるか、存在しないか、または取得されていないと判定する際は、再構成メッセージ（マクロセルへの再構成プロシージャなど）中の情報要素（ＩＥ）、またはＷＴＲＵが再選択する新しいマクロセルのＳＩＢからの情報要素（ＩＥ）を受け取ることによって、情報を得ることができる。例えば、オフロードエリア情報を記憶することが必要なターゲットマクロセルの付近にスモールセルが存在するかどうかを示すブールＩＥがあってよい。別の例では、オフロードエリア情報を記憶することが必要なターゲットマクロセルの付近のスモールセルのリストを含むＩＥ、または、現在のＵＥ位置（例えば現在の接続されたマクロセル）についてのオフロードエリア情報を含むＩＥがあってよい。
【００７３】
オフロードエリア情報が無効であると判定する際は、マクロセルからブロードキャストされたシステム情報からの情報要素を受け取ることによって情報を得ることができる。例えば、オフロードエリア情報を記憶することが必要なターゲットマクロセルの付近にスモールセルが存在するかどうかを示すブールＩＥが、システム情報ブロック中にあってよい。
【００７４】
ＷＴＲＵは、以下のイベント、すなわち、セル再選択後またはセル（もしくはマクロセル）へのハンドオーバ後、セル再選択またはセルへのハンドオーバの際に開始されたタイマの満了時（タイマの値は、事前定義済みであるかまたはより高いレイヤによって提供されたものとすることができる）、ネットワークによる明示的な表示または要求または構成時、期間ごと（期間は、事前定義済みであるかまたはより高いレイヤによって提供されたものとすることができる）、有効なオフロードエリア情報が不足しているかどうかをＷＴＲＵが最後に検証したときに開始されたタイマの満了時、のうちの少なくとも１つが発生したとき、有効なオフロードエリア情報が不足しているかどうか検証することができる。
【００７５】
ＷＴＲＵは、スモールセルに関するオフロードエリア情報またはフィンガプリント情報に基づいて、常に探索し測定値をとってスモールセルの近接性を決定することができる。ＷＴＲＵは、ＷＴＲＵがその中で接続されているセルに従って、いつ測定値をとるのを開始するかを自律的に決定することができる。例えば、オフロードエリア情報は、使用されている周波数におけるセルに関連することがある。セルは、ＵＥが接続されているセル（サービングセルまたは滞在セル）とすることができ、ＰＣＩ、近傍ＰＣＩのリスト、またはサービングセルのＣＧＩ（セル識別）に関連することがある。ＰＣＩまたはＣＧＩが、ＵＥのオフロードエリアに記憶されたセルに対応するとＵＥが判定したときは、測定プロシージャを開始して、スモールセルエリアの近傍性を検出することができる（例えば、ＧＰＳ、ＰＲＳ、他の位置決め方法、または他の周波数上での測定）。
【００７６】
ＷＴＲＵは、有効なオフロードエリア情報が不足していると決定すると、オフロードエリア情報を取得するプロシージャを開始することができる。
【００７７】
オフロードエリア情報を取得する方法について、本明細書に述べる。アイドルモードで、ＷＴＲＵは、サービングセルの信号強度および／または品質がしきい値（ＳｉｎｔｒａｓｅａｒｃｈＰ、ＳｉｎｔｒａｓｅａｒｃｈＱ）よりも高くても、周波数間測定を開始することができる。あるいは、ＷＴＲＵは、サービングセルの信号強度および／または品質が、有効なフィンガプリント情報が不足している場合に適用可能な新しいしきい値よりも低い場合に、周波数間測定を実施することができる。
【００７８】
ＷＴＲＵは、オフロードエリアおよびスモールセル検出の能力およびサポートを、ネットワークに対して示すことができる。
【００７９】
ＷＴＲＵは、オフロードエリア情報がないことを通知するための表示をネットワークに送ることによって、オフロードエリア情報を取得するプロシージャを開始することができる。ネットワークは、この表示を受け取ると、周波数間測定を実施するようＷＴＲＵを構成する（接続モードで）か、または、オフロードエリア情報をＷＴＲＵに提供するプロシージャを開始することができる。表示は、新しいもしくは既存のＲＲＣプロシージャの一部として、またはＭＡＣシグナリング（ＭＡＣ制御要素）によって提供することができる。表示は、近接性表示またはオフロード表示を含むことができる。表示は、関連するオフロードエリア情報が不足しているセルに関する情報（ＰＣＩ、ＰＣＩの範囲、ＣＳＧ、ＣＳＧ  ＩＤ、セル識別（ＣＧＩ）、周波数、ＲＡＴなど）；オフロードエリアタグ；有効なオフロードエリア情報がＷＴＲＵに不足していることが表示送信の理由であることを示すための原因表示、のうちの少なくとも１つを含んでよい。
【００８０】
ＷＴＲＵはまた、以下のイベント、すなわち、セル再選択後またはセル（もしくはマクロセル）へのハンドオーバ後、セル再選択またはセルへのハンドオーバの際に開始されたタイマの満了時（タイマの値は、事前定義済みであるかまたはより高いレイヤによって提供されたものとすることができる）、ネットワークによる明示的な表示または要求時、期間ごと（期間は、事前定義済みであるかまたはより高いレイヤによって提供されたものとすることができる）、ＷＴＲＵが最後に表示をネットワークに送信したときに開始されたタイマの満了時、オフロードエリア情報を取得した（それ自体の測定値を使用して）後、のうちの少なくとも１つが発生したとき、オフロードエリア情報を記憶したことを通知するための表示をネットワークに送ることができる。
【００８１】
ネットワークに送られる表示は、新しいもしくは既存のＲＲＣプロシージャの一部として、またはＭＡＣシグナリング（ＭＡＣ制御要素）によって提供することができる。表示は、近接性表示またはオフロード表示を含むことができる。表示は、前の段落で述べたようなオフロードエリア情報の一部として含まれる任意の情報と、表示がオフロードエリア情報を提供していることを示すための原因表示とのうちの少なくとも一方を含んでよい。
【００８２】
オフロードエリア情報を無期限に記憶するのを回避するため、および古くなったオフロードエリア情報を有するのを回避するために、ＷＴＲＵは、以下のトリガ、すなわち、所与のオフロードエリア情報に対して有効性タイマが満了すること、ＷＴＲＵがセル外に移動すること（例えばセル再選択とハンドオーバとのいずれかにより）、ＷＴＲＵがアイドルモードに移行すること、ＷＴＲＵが周波数間またはＲＡＴ間ハンドオーバを実施すること、ＷＴＲＵがホームＰＬＭＮ外に移動すること、ＷＴＲＵがＰＬＭＮを変更すること、ＷＴＲＵがローミングＰＬＭＮまたは訪問先ＰＬＭＮに入ること（あるいは、ＷＴＲＵは、ホームＰＬＭＮのオフロードエリア情報は削除しないが、ローミングＰＬＭＮについてはどんな情報も記憶しない）、オフロードエリア情報を削除するようＷＴＲＵがネットワークから明示的に命じられること、ＷＴＲＵがＲＲＣ状態を変更すること、ＷＴＲＵが新しいオフロードエリア情報を得ること（例えば、前に記憶した情報を削除して新しい情報を記憶する）、のうちの少なくとも１つに従って、その記憶済み情報をクリアおよび削除することができる。
【００８３】
オフロードエリア情報の取得について、本明細書に述べる。ＷＴＲＵは、例えば、本明細書に述べる方法の１つに例えば従ってオフロードエリア情報が利用可能でないかまたは有効でないと判定した場合に、これらの方法またはプロシージャを適用することができる。
【００８４】
一実施形態では、ＷＴＲＵは、それ自体の測定値に基づいてオフロードエリア情報を取得および記憶することができる。測定値は、オフラインエリア情報に含まれるかまたはその一部である、任意の可能な情報を含み得る。オフロードエリア情報の取得および記憶は、以下の条件、すなわち、このオフロードエリア情報に関連するセルにＷＴＲＵが滞在するかまたは接続されていること、セルがオープンセルであること、セルがハイブリッドセルであること、セルに関連する有効なオフロードエリア情報を有さないとＷＴＲＵが判定することまたはＷＴＲＵが最後にオフロードエリア情報を取得してからの経過時間がしきい値よりも長いこと、同期信号（ＰＳＳ／ＳＳＳ）を例えば介してこのオフロードエリア情報に関連するセルの存在をＷＴＲＵが検出すること、接続モードで周波数間またはＲＡＴ間測定が構成されること、セルに関連する有効なオフロードエリア情報を有さないとＷＴＲＵが判定すること、ＷＴＲＵが例えばＧＰＳまたは位置決め基準信号に基づいて位置決め測定を実施するように構成されること、このセルに関連するオフロードエリア情報の取得および記憶を実施する表示をＷＴＲＵがネットワークから受け取ったこと、のうちの少なくとも１つまたは組合せが満たされる場合に実施することができる。最後のケースでは、表示は、任意のＲＲＣメッセージ（ターゲットセルがスモールセルであるようなハンドオーバコマンド、もしくは再確立コマンドなど）中で、またはスモールセルのシステム情報中で提供されてよい。表示は、ＰＣＩ、ＰＣＩの範囲、ＣＳＧ、ＣＳＧ  ＩＤ、セル識別（ＣＧＩ）、周波数、ＲＡＴなど、関連するオフロードエリア情報を取得できるようなセルに関する情報を含むことができる。
【００８５】
別の実施形態では、明示的なオフロードエリア情報をネットワークによってＷＴＲＵに提供することができる。ネットワークによって提供される情報は、前の段落で述べたようなオフロードエリア情報の一部であり得る任意の情報（例えばＧＰＳ座標、半径、セル識別など）を含んでよい。ネットワークは、この情報を、以下のイベント、すなわち、ＷＴＲＵがマクロセルのカバレッジに入る（例えばハンドオーバが行われる）こと、ＷＴＲＵがマクロセルへのセル再選択を実施すること（例えば、マクロセルはシステム情報をブロードキャストすることができる）、有効なオフロードエリア情報がＷＴＲＵ中で利用可能でないとネットワークが判定すること、このような情報を提供するようＷＴＲＵから明示的に要求されたとき、動作中の任意の時点、のうちの１つまたは組合せにおいて提供することができる。より具体的には、このようなオフロードエリア情報は、以下の方法のうちの少なくとも１つにおいて提供することができる。すなわち、既存のＲＲＣメッセージに挿入された新しい情報要素（オフロードエリア（複数可）をそのカバレッジエリアが含むようなマクロセルへのハンドオーバ時に受け取られるＲＲＣ接続再構成（ｍｏｂｉｌｉｔｙＣｏｎｔｒｏｌＩｎｆｏありまたはなし）、ＲＲＣ接続再確立、ＲＲＣ接続セットアップ、ＲＲＣ接続解放（アイドルモードでフィンガプリント情報を提供するため）、システム情報（例えばアイドルモードの場合）、のうちの少なくとも１つなど）の一部として、または新しいＲＲＣメッセージとして、または新しいＲＲＣプロシージャの一部として提供することができる。
【００８６】
新しいＲＲＣプロシージャは、前のセクションで述べたように、少なくとも１つのセルについての有効なオフロードエリア情報が不足していると決定されたとき、ＷＴＲＵによって開始することができる。これにより、ＷＴＲＵが有効なオフロードエリア情報をすでに有する場合に、不必要なシグナリングを回避することができる。アイドルモードでＷＴＲＵによるこのようなプロシージャの開始を可能にするために、ＷＴＲＵは、新しい原因値を用いてＲＲＣ接続要求を開始することができる。
【００８７】
ＲＲＣシグナリングに関係するセルは、少なくとも１つのオフロードエリアをそのカバレッジエリアが含むようなマクロセル、またはオフロードエリアに関連するセルなど、任意のセルとすることができる。
【００８８】
本明細書に述べる方法の例示的な実現について以下に説明する。より具体的には、この例では、オフロードエリア情報が明示的にＷＴＲＵに提供される方法を説明する。
【００８９】
この例では、ＷＴＲＵが領域またはマクロセルに入る。ハンドオーバ時、マクロセルは、マクロセルの付近のスモールセルが位置する領域のオフロードエリア情報をＷＴＲＵに提供する。例えば、オフロードエリア情報は、ＧＰＳ座標と、ＧＰＳ座標に対してエリアが延びる半径とを含むことができる。あるいは、いくつかのＧＰＳ位置（例えば４つ）がＷＴＲＵに提供され、オフローディングエリアはこれらの座標内の全ての点に対応するものであってよい。ＷＴＲＵに提供できる位置情報の別の例は、いくつかのセルのＰＲＳであろう。マクロセルのカバレッジ下で複数のオフローディングエリア情報が利用可能である場合は、複数のオフローディングエリア位置情報をＷＴＲＵに提供することができる。ＷＴＲＵにはまた、シグナリングされるエリア内のセル（複数可）の周波数またはＲＡＴを提供することもできる。この情報は、ＷＴＲＵがＳＩＢから取得することができ、または、マクロセルが専用シグナリングを介してＷＴＲＵに提供することができる。
【００９０】
ＷＴＲＵは、この情報を取得および／または記憶すると、測定を実施して、その位置を決定し、記憶済みオフロードエリアのいずれかに入ったかどうか判定する。ＷＴＲＵは、このオフローディングエリア情報の受信を用いて、測定プロシージャをトリガおよびアクティブ化することができる。例えばこれは、ＧＰＳがまだアクティブでなければＧＰＳをアクティブ化すること、またはＰＲＳ測定を開始することを含んでよい。あるいは、ＵＥが測定プロシージャを開始してオフロードエリア（ＷＴＲＵ中にすでに存在すれば）に対する近接性／近傍性を検出すべきであることを示すメッセージを送ることができる。このメッセージは、オフロードエリア情報を含まない場合がある。これらの測定は、現在の動作周波数において実施することができる。ＷＴＲＵは、座標または位置情報のいずれかに従って構成済みオフローディングエリアに入ったと判定したとき、オフロード表示をトリガすることができる。この表示は、ＷＴＲＵがエリアに入ったことをネットワークに通知することができる。例として、ＷＴＲＵがどのオフロードエリアの付近にあるかをネットワークが決定できるように、ＷＴＲＵは、その位置をネットワークに提供することができる。別の例として、ＷＴＲＵは単に、オフローディングセルが位置する可能性のある周波数を報告する。複数のオフロードエリア情報がＷＴＲＵに提供される場合は、ＷＴＲＵはまた、構成済みまたは記憶済み位置エリアのうちのどのエリアに入ったかを示すインデックスを報告することができる。
【００９１】
次いでＷＴＲＵは、周波数間測定値またはＲＡＴ間測定値をとるのを開始するように構成されてよい。周波数間測定の決定はネットワークに基づくことができ、あるいは、アイドルモードＷＴＲＵの場合、ＷＴＲＵは、このようなエリアの付近に入ったと判定したとき、測定値をとるのを開始することを自律的に決定することができる。
【００９２】
一例では、ＷＴＲＵは、マクロセルを離れるときにこの位置情報を削除することができ、新しい座標がＷＴＲＵに提供されれば、同じプロシージャを開始することができる。
【００９３】
位置決め情報をネットワークに報告する方法について、本明細書に述べる。マクロセルからスモールセルへのＷＴＲＵモビリティを可能にする別の方法は、ＷＴＲＵからの位置決め情報を使用して、それがスモールセルの付近にあるかもしれないかどうか判定することである。この方法は、スモールセル展開の自己組織化、および、スモールセルがオンとオフに動的に切り替わってエネルギーを節約するケースを支援することができる。この方法では、ＷＴＲＵは、その位置をネットワークに報告することができる。位置および測定値は、使用される周波数上でとることができる。この情報を使用して、ネットワークは、ＷＴＲＵに対して周波数間測定を構成するかどうか、およびいつ構成するかを決定することができる。位置決め情報が利用可能になれば、サービングｅＮＢはこれを使用して、ＷＴＲＵと近くのスモールセルｅＮＢとの間の絶対距離を計算することができ、ＷＴＲＵが付近にあると判定された場合は、適切な測定を開始することができる。絶対距離の計算は、サービングｅＮＢがスモールセルｅＮＢの位置情報もまた利用可能であるときに可能である。この情報は、ネットワークが利用可能であると見なすことができる。というのは、スモールセルはネットワークによって展開されるからであり、または、自律的なＨｅＮＢ展開の場合には、ＨｅＮＢは、緊急呼出し要件が確実に維持されるようにそれらの位置決め情報をネットワークに送信するからである。
【００９４】
ＷＴＲＵベースの位置決め方法について、本明細書に述べる。ＷＴＲＵベースの位置決めの場合、以下の手段のうちの少なくとも１つを使用して測定結果を報告することができる。すなわち、ＬＰＰ（ＬＴＥ位置決めプロトコル）メッセージの一部として任意のイベントによってトリガされる測定報告に情報を挿入することによって、あるいは、オフロード表示または拡張された近接性報告に位置決め情報を含めることによって、報告することができる。ＷＴＲＵベースの位置決め決定の場合、ＬＰＰセッションを開始してｅＮＢおよびＥ−ＳＭＬＣに情報を報告する必要がある。同様の方法が、ＧＰＳ測定にも適用可能とすることができる。
【００９５】
一実施形態では、ＬＰＰセッションは、ｅＮＢによって、それが位置決め情報を受け取りたい候補ＷＴＲＵに対して開始することができる。ｅＮＢによって行われる候補ＷＴＲＵの決定は、測定値、検出されたサービングセルおよび近傍セルのＩＤ、ＯＡ＆Ｍ（運用管理保守）情報、展開ベクトルマップなどを含めた、様々な要因に基づくことがある。
【００９６】
別の実施形態では、ＷＴＲＵは、ｍｅａｓＣｏｎｆｉｇメッセージに追加された構成済みしきい値に達したときに、位置決め情報を測定報告に追加するのを開始／停止するように構成されてよい。要求は、１回限りの要求の形、またはオフローディング情報の目的の周期測定要求の形とすることができる。
【００９７】
別の実施形態では、ＷＴＲＵは、事前構成済みの位置の付近で移動されていることをＷＴＲＵが検出したときに、位置決め情報を報告するように構成されてよい。例えば、座標ｘｉ，ｙｉ，ｚｉ，ｔｉ（ｘ、ｙ、ｚ位置成分および送信時間）で指定される位置内の半径Ｘメートル以内にＷＴＲＵがあることをＷＴＲＵが検出したとき、ネットワークへの位置決め報告の送信を開始するための新しいイベントが生み出されてよい。このイベントは、測定／ＬＰＰメッセージ報告をトリガするための、新しい測定イベントまたはＬＰＰイベントとすることができる。
【００９８】
別の代替形態では、別の周波数上で動作するスモールセルｅＮＢ（すなわちピコセルｅＮＢまたはＨｅＮＢ）が、サービングｅＮＢと同じ周波数上で基準信号またはメッセージを送ることができ、したがって、サービングｅＮＢ中で、かつスモールセルのリスニング半径内で動作するＷＴＲＵは、自律的プロシージャを使用してこれを検出することができる。これを、既存の測定イベントの拡張、拡張された近接性表示、もしくは新しいオフロード表示報告を使用してネットワークに報告することができ、または、新しいＬＰＰもしくは測定構成イベントを定義して、ネットワークに送られる報告を開始することができる。例えば、一代替形態では、スモールセルｅＮＢは、基準信号（例えば、ＣＳＩ−ＲＳの、ＰＲＳ、ＣＲＳ）を、近傍周波数（構成されたかまたは検出された）上で、ある計画された周期性で送ることができ、したがって近傍ｅＮＢ間の衝突はない。ＷＴＲＵは、サブフレーム０からサブフレームＴまでの、それに聞こえる全てのＰＲＳシンボルを検出するように構成されてよく、ここで、Ｔは、あるエリア内の全ての近傍のＰＲＳ周期性のスーパーセットである。一例では、ネットワークは、基準信号が送信される際の情報およびリソースでＷＴＲＵを構成することができる。次いでＷＴＲＵは、この基準信号またはＰＲＳに対する使用周波数と同じ周波数を監視し、これらを検出したとき、またはこれらの基準信号のうちの１つもしくはサブセットの品質がしきい値よりも高いときは、ＷＴＲＵはネットワークへの表示をトリガする。
【００９９】
ＰＣＩ混乱による基準信号衝突を回避するために、基準信号を送信するスケジュールおよび周期性を、マクロ／ネットワークレベルで集中管理するか、または近傍間で交渉することができる。ＷＴＲＵは、構成されたウィンドウセット内でいずれかの基準信号を検出した場合に、ネットワークに報告を送るように構成されてよい。
【０１００】
ネットワークベースの位置決め方法について、本明細書に述べる。特定のＷＴＲＵに対する位置サービスサポートとは別に、Ｅ−ＳＭＬＣは、Ｅ−ＵＴＲＡＮ中の要素と対話して測定情報を入手し、全てのＷＴＲＵに対して１または複数の位置決め方法を支援する助けとすることができる。一代替形態では、ＷＴＲＵは、アップリンクベースのＷＴＲＵ位置決め測定のために、必要な位置決め基準信号の送信を自律的に開始するように構成されてよく、したがってｅＮＢはその位置を推定することができる。これは、フィンガプリンティング情報に基づいてＷＴＲＵによって開始することができる。
【０１０１】
測定構成は、いつＷＴＲＵが位置決め基準信号の送信を開始できるかに関する規則を設定する追加の構成しきい値を含んでよい。
【０１０２】
図２Ａに、例示的な方法を示す。２００で、ＷＴＲＵは、エリアオフロード情報を受信する。２０２で、ＷＴＲＵは、ＷＴＲＵがスモールセルのカバレッジエリア内にあるであろうというカバレッジエリア判定を行う。２０４で、ＷＴＲＵは、オフロード表示をネットワークに送信する。接続モードでは、ＷＴＲＵは、確立された接続を介してオフロード表示を送信することができ、アイドルモードでは、ＷＴＲＵは、オフロード表示を送信する前に、まずＲＲＣ接続を開始することができる。図２Ｂに、代替の例示的方法を示す。２０６で、ＷＴＲＵは、エリアオフロード情報をネットワークから受信する。２０８で、ＷＴＲＵは、ＷＴＲＵがスモールセルのカバレッジエリア内にあるであろうというカバレッジエリア判定を行う。２１０で、ＷＴＲＵは、周波数間および／またはＲＡＴ間測定を開始する。図２Ｃに、さらに別の代替の例示的方法を示す。２１２で、ＷＴＲＵは、エリアオフロード情報を受信する。２１４で、ＷＴＲＵは、ＷＴＲＵがスモールセルのカバレッジエリア内にあるであろうというカバレッジエリア判定を行う。２１６で、ＷＴＲＵは、オフロード表示をネットワークに送信する。２１８で、ＷＴＲＵは、周波数間またはＲＡＴ間構成メッセージを受信する。２２０で、ＷＴＲＵは、受信した構成に従って測定を開始する。
【０１０３】
一実施形態では、方法は、ワイヤレス送受信ユニット（ＷＴＲＵ）においてオフロードエリア情報をネットワークから受信すること、オフロードエリア情報に基づいて、スモールセルのカバレッジエリアに対してＷＴＲＵのカバレッジエリア判定を行うこと、および、オフロード表示をネットワークに送信することを含む。
【０１０４】
一実施形態では、方法は、オフロードエリア情報が、（ｉ）中心点および半径で定義されるエリア、（ｉｉ）ＧＰＳ座標のセット、（ｉｉｉ）いくつかのＧＰＳ座標で定義されるエリア、（ｉｖ）少なくとも１つのマクロセルのカバレッジエリア、および少なくとも１つのマクロセルの識別、（ｖ）位置基準シンボルのリスト、（ｖｉ）１もしくは複数のＰＣＩ、（ｖｉｉ）１もしくは複数のセル識別、（ｖｉｉｉ）スモールセルが動作する周波数、（ｉｘ）スモールセルの無線アクセス技術、のうちのいずれか１または複数を含むことを含む。
【０１０５】
一実施形態では、方法は、オフロードエリア情報が、無線リソース制御（ＲＲＣ）メッセージを介して、またはシステム情報ブロックを介して、または専用シグナリングを介して受信されることを含んでよい。
【０１０６】
一実施形態では、方法は、以下のイベント、すなわち、セル再選択、セルへのハンドオーバ、セル再選択／セルへのハンドオーバに関連するタイマの満了、ネットワークによる明示的な要求、周期的タイマの満了、のうちの少なくとも１つの発生に基づいて、ＷＴＲＵによってオフロードエリア情報を受信することを含んでよい。
【０１０７】
一実施形態では、方法は、カバレッジエリア判定が、ＷＴＲＵ位置を基準位置および半径と比較することによって、またはＷＴＲＵ位置を複数の位置基準点と比較することによって行われることを含んでよい。
【０１０８】
一実施形態では、方法は、ＷＴＲＵ位置、スモールセルＩＤ、スモールセル周波数、記憶済み位置のインデックス値、のうちの１つを含むオフロード表示を使用してよい。
【０１０９】
一実施形態では、方法は、オフロード表示に応答してスモールセル構成を基地局から受信することをさらに含んでよい。
【０１１０】
一実施形態では、方法は、スモールセル構成が、周波数間、ＲＡＴ間、または周波数内測定構成であることを含んでよい。
【０１１１】
一実施形態では、方法は、オフロード表示が、ＷＴＲＵがスモールセルカバレッジエリアに入ったこと、またはＷＴＲＵがスモールセルカバレッジエリアを離れたことを示すことを含んでよい。
【０１１２】
一実施形態では、方法は、オフロード表示をネットワークに送信することが、ＷＴＲＵの低モビリティ状態を条件とすることを含んでよい。
【０１１３】
一実施形態では、方法は、低モビリティ状態が全地球測位システム（ＧＰＳ）情報に関して決定されることを含んでよい。
【０１１４】
一実施形態では、方法は、オフロード表示をマクロセルに送信することが、ＷＴＲＵのトラフィックレベルを条件とすることを含んでよい。
【０１１５】
一実施形態では、方法は、オフロード表示メッセージがＲＲＣメッセージを含むことを含んでよい。
【０１１６】
一実施形態では、方法は、ＲＲＣメッセージが、オフロードに関係する情報要素を含む修正された近接性表示メッセージであることを含んでよい。
【０１１７】
一実施形態では、方法は、ＲＲＣメッセージが、オフローディングを示す情報要素を含むように修正されたＲＲＣ測定報告メッセージであることを含んでよい。
【０１１８】
一実施形態では、方法は、オフロード表示メッセージが、以下の情報要素、すなわち、ＷＴＲＵがオフロードエリアに入りつつあることの表示、ＷＴＲＵがオフロードエリアを離れつつあることの表示、ＷＴＲＵのオフロード先となり得るオフロードエリアの識別子、ＷＴＲＵがオフロードされ得る周波数、ＷＴＲＵがオフロードされ得る潜在的なターゲットセルのセルＩＤ、ＷＴＲＵがオフロードされ得る潜在的なターゲットセルのＰＣＩ、ＷＴＲＵのオフロード先となり得る無線アクセス技術、ＷＴＲＵが位置するエリア、のうちの少なくとも１つを含むことを含んでよい。
【０１１９】
一実施形態では、方法は、以下のイベント、すなわち、セル再選択、セルへのハンドオーバ、セル再選択／セルへのハンドオーバに関連するタイマの満了、ネットワークによる明示的な要求、周期的タイマの満了、有効なオフロードエリア情報が不足しているかどうかをＷＴＲＵが最後に検証したときに開始されたタイマの満了、のうちの少なくとも１つが発生したときに、ＷＴＲＵにおける有効なオフロードエリア情報を検証することをさらに含んでよい。
【０１２０】
一実施形態では、方法は、以下のトリガ、すなわち、所与のオフロードエリア情報に対して有効性タイマが満了すること、ＷＴＲＵがセル外に移動すること（例えばセル再選択とハンドオーバとのいずれかにより）、ＷＴＲＵがアイドルモードに移行すること、ＷＴＲＵが周波数間またはＲＡＴ間ハンドオーバを実施すること、ＷＴＲＵがホームネットワーク外に移動すること、ＷＴＲＵが公衆ネットワークを変更すること、オフロードエリア情報を削除するようＷＴＲＵがネットワークから明示的に命じられること、ＷＴＲＵがＲＲＣ状態を変更すること、ＷＴＲＵが新しいオフロードエリア情報を得ること、のうちのいずれか１つに基づいて、ＷＴＲＵが記憶済みオフロードエリア情報を削除することを含んでよい。
【０１２１】
一実施形態では、ある方法は、ワイヤレス送受信ユニット（ＷＴＲＵ）においてオフロードエリア情報をマクロセル基地局から受信すること、オフロードエリア情報に基づいて、ＷＴＲＵがスモールセルのカバレッジエリア中にあると判定すること、ならびに、周波数間および／またはＲＡＴ間測定を開始してスモールセルを検出することを含んでよい。
【０１２２】
一実施形態では、方法は、オフロードエリア情報が、（ｉ）中心点および半径で定義されるエリア、（ｉｉ）ＧＰＳ座標のセット、（ｉｉｉ）いくつかのＧＰＳ座標で定義されるエリア、（ｉｖ）少なくとも１つのマクロセルのカバレッジエリア、および少なくとも１つのマクロセルの識別、（ｖ）位置基準シンボルのリスト、（ｖｉ）１もしくは複数のＰＣＩ、（ｖｉｉ）１もしくは複数のセル識別、（ｖｉｉｉ）スモールセルが動作する周波数、（ｉｘ）スモールセルの無線アクセス技術、のうちのいずれか１または複数を含むことを含んでよい。
【０１２３】
一実施形態では、方法は、オフロードエリア情報がシステム情報ブロックを介して受信されることを含んでよい。
【０１２４】
一実施形態では、方法は、カバレッジエリア判定が、ＷＴＲＵ位置を基準位置および半径と比較することによって、またはＷＴＲＵ位置を複数の位置基準点と比較することによって行われることを含んでよい。
【０１２５】
一実施形態では、方法は、周波数間および／またはＲＡＴ間測定を開始することが、ＷＴＲＵの低モビリティ状態を条件とすることを含んでよい。
【０１２６】
一実施形態では、方法は、周波数間および／またはＲＡＴ間測定を開始することが、ＷＴＲＵのトラフィックレベルを条件とすることを含んでよい。
【０１２７】
一実施形態では、方法は、以下のイベント、すなわち、セル再選択、セルへのハンドオーバ、セル再選択／セルへのハンドオーバに関連するタイマの満了、ネットワークによる明示的な要求、周期的タイマの満了、有効なオフロードエリア情報が不足しているかどうかをＷＴＲＵが最後に検証したときに開始されたタイマの満了、のうちの少なくとも１つが発生したときに、ＷＴＲＵにおける有効なオフロードエリア情報を検証することをさらに含んでよい。
【０１２８】
一実施形態では、方法は、ワイヤレス送受信ユニット（ＷＴＲＵ）においてオフロードエリア情報を基地局から受信すること、オフロードエリア情報に基づいて、ＷＴＲＵがスモールセルのカバレッジエリア中にあると判定すること、オフロード表示をネットワークエンティティに送信すること、周波数間および／またはＲＡＴ間測定構成を受信すること、ならびに、構成に従って周波数間および／またはＲＡＴ間測定を開始することを含んでよい。
【０１２９】
一実施形態では、方法は、オフロードエリア情報が、（ｉ）中心点および半径で定義されるエリア、（ｉｉ）ＧＰＳ座標のセット、（ｉｉｉ）いくつかのＧＰＳ座標で定義されるエリア、（ｉｖ）少なくとも１つのマクロセルのカバレッジエリア、および少なくとも１つのマクロセルの識別、（ｖ）位置基準シンボルのリスト、（ｖｉ）１もしくは複数のＰＣＩ、（ｖｉｉ）１もしくは複数のセル識別、（ｖｉｉｉ）スモールセルが動作する周波数、（ｉｘ）スモールセルの無線アクセス技術、のうちのいずれか１または複数を含むことを含んでよい。
【０１３０】
一実施形態では、方法は、オフロードエリア情報がシステム情報ブロックを介して受信されることを含んでよい。
【０１３１】
一実施形態では、方法は、カバレッジエリア判定が、ＷＴＲＵ位置を基準位置および半径と比較することによって、またはＷＴＲＵ位置を複数の位置基準点と比較することによって行われることを含んでよい。
【０１３２】
一実施形態では、実施形態は、オフロードエリア情報をマクロセル基地局から受信すること、オフロードエリア情報に基づいてスモールセルのカバレッジエリアに対してＷＴＲＵのカバレッジエリア判定を行うこと、およびオフロード表示をマクロセルに送信すること、を行うように構成されたワイヤレス送受信ユニット（ＷＴＲＵ）を備える装置を含んでよい。
【０１３３】
一実施形態では、装置は、ＷＴＲＵが、ＷＴＲＵ位置を基準位置および半径と比較することによって、またはＷＴＲＵ位置を複数の位置基準点と比較することによって、カバレッジエリア判定を行うように構成されたことを含んでよい。
【０１３４】
一実施形態では、装置は、オフロード表示に応答してスモールセル構成を基地局から受信するようにさらに構成されてよい。
【０１３５】
一実施形態では、装置は、ＷＴＲＵの低モビリティ状態に基づいてオフロード表示をマクロセルに送信するようにさらに構成される。
【０１３６】
一実施形態では、装置は、ＷＴＲＵのトラフィックレベルに基づいてオフロード表示をマクロセルに送信するようにさらに構成される。
【０１３７】
一実施形態では、装置は、以下のイベント、すなわち、セル再選択、セルへのハンドオーバ、セル再選択／セルへのハンドオーバに関連するタイマの満了、ネットワークによる明示的な要求、周期的タイマの満了、有効なオフロードエリア情報が不足しているかどうかをＷＴＲＵが最後に検証したときに開始されたタイマの満了、のうちの少なくとも１つが発生したときに、有効なオフロードエリア情報を検証するようにさらに構成される。
【０１３８】
一実施形態では、装置は、以下のトリガ、すなわち、所与のオフロードエリア情報に対して有効性タイマが満了すること、ＷＴＲＵがセル外に移動すること（例えばセル再選択とハンドオーバとのいずれかにより）、ＷＴＲＵがアイドルモードに移行すること、ＷＴＲＵが周波数間またはＲＡＴ間ハンドオーバを実施すること、ＷＴＲＵがホームネットワーク外に移動すること、ＷＴＲＵが公衆ネットワークを変更すること、オフロードエリア情報を削除するようＷＴＲＵがネットワークから明示的に命じられること、ＷＴＲＵがＲＲＣ状態を変更すること、ＷＴＲＵが新しいオフロードエリア情報を得ること、のうちのいずれか１つに基づいて、記憶済みオフロードエリア情報を削除するようにさらに構成される。
【０１３９】
一実施形態では、装置またはシステムが、本明細書に記載の方法のいずれかを実施するように構成されてよい。
【０１４０】
一実施形態では、基地局または発展型ＮｏｄｅＢが、本明細書に記載の方法のいずれかを実施するように構成されてよい。
【０１４１】
一実施形態では、有形コンピュータ可読記憶媒体が、上記方法のいずれかを実施するためのコンピュータ実行可能命令を記憶している。
【０１４２】
本発明の範囲を逸脱することなく、前述の方法、装置、およびシステムの変形が可能である。適用できる多様な実施形態に鑑みて、説明した実施形態は例に過ぎず後続の特許請求の範囲を限定するものと見なすべきでないことを理解されたい。例えば、本明細書に述べた例示的な実施形態はハンドヘルドデバイスを含むが、このハンドヘルドデバイスは、バッテリなど、任意の適切な電圧を提供する任意の適切な電圧源を備えるか、またはそのような電圧源と共に利用されてよい。
【０１４３】
以上では、特徴および要素を特定の組合せで述べているが、各特徴もしくは要素を単独で、または他の特徴および要素との任意の組合せで使用できることを、当業者なら理解するであろう。加えて、本明細書に述べる方法は、コンピュータプロセッサによって実行されるようにコンピュータ可読媒体に組み込まれたコンピュータプログラム、ソフトウェア、またはファームウェアにおいて実施することができる。コンピュータ可読媒体の例は、電子信号（有線またはワイヤレス接続を介して伝送される）およびコンピュータ可読記憶媒体を含む。コンピュータ可読記憶媒体の例は、読取専用メモリ（ＲＯＭ）、ランダムアクセスメモリ（ＲＡＭ）、レジスタ、キャッシュメモリ、半導体メモリデバイス、内蔵ハードディスクや取外し可能ディスクなどの磁気媒体、光磁気媒体、および、ＣＤ−ＲＯＭディスクやディジタル多用途ディスク（ＤＶＤ）などの光媒体を含むが、これらに限定されない。ＷＴＲＵ、ＵＥ、端末、基地局、ＲＮＣ、または任意のホストコンピュータ中で使用される、無線周波数送受信機を、プロセッサをソフトウェアとの関連で使用して実現することができる。
【０１４４】
さらに、前述の実施形態では、プロセッサを備える、処理プラットフォーム、コンピューティングシステム、コントローラ、および他のデバイスに言及している。これらのデバイスは、少なくとも１つの中央処理装置（ＣＰＵ）およびメモリを備えてよい。コンピュータプログラミングの当業者の慣例に従い、行為、および動作または命令の象徴表現が、様々なＣＰＵおよびメモリによって参照される場合がある。このような行為、および動作または命令は、「実行される」、「コンピュータによって実行される」、または「ＣＰＵによって実行される」として言及される場合がある。
【０１４５】
これらの行為、および象徴的に表現された動作または命令が、ＣＰＵによる電気信号の操作を含むことは、当業者なら理解するであろう。電気システムはデータビットを表すが、これらのデータビットは、電気信号の結果的な変換または還元、および、メモリシステム中のメモリ位置におけるデータビットの維持を引き起こし、それにより、ＣＰＵの動作ならびに他の信号処理を再構成するかまたは他の方法で改変することができる。データビットが維持されるメモリ位置は、データビットに対応するかまたはデータビットを表す特定の電気的、磁気的、光学的、または有機的特性を有する物理的位置である。例示的な実施形態は前述のプラットフォームまたはＣＰＵに限定されず、他のプラットフォームおよびＣＰＵも、述べた方法をサポートできることを理解されたい。
【０１４６】
データビットはまた、ＣＰＵによって読取り可能な、磁気ディスク、光ディスク、および他の任意の揮発性（例えばランダムアクセスメモリ（ＲＡＭ））または不揮発性（例えば読取専用メモリ（ＲＯＭ））大容量記憶システムを含めた、コンピュータ可読媒体上で維持することができる。コンピュータ可読媒体は、協働するかまたは相互接続されたコンピュータ可読媒体を含んでよく、このコンピュータ可読媒体は、処理システム上のみに存在するか、または、処理システムに対してローカルもしくはリモートであってよい複数の相互接続された処理システム間で分散される。例示的な実施形態は前述のメモリに限定されず、他のプラットフォームおよびメモリも、述べた方法をサポートできることを理解されたい。
【０１４７】
本出願の記述において使用されるどのような要素、行為、または命令も、本発明にとってクリティカルまたは本質的なものとして明示的に記述されない限り、そのように解釈すべきではない。また、本明細書において、各冠詞「ａ」および「ａｎ」は、１または複数のアイテムを含むものとする。１つのアイテムだけが意図される場合は、「単一」という語または類似の言葉が使用される。さらに、複数のアイテムおよび／または複数のアイテム範疇のリストに続く「のいずれか」という語は、本明細書においては、個別に、または他のアイテムおよび／もしくは他のアイテム範疇との組合せで、アイテムおよび／またはアイテム範疇「のいずれか」、「のいずれかの組合せ」、「のいずれか複数」、および／または「の複数のいずれかの組合せ」を含むものとする。さらに、本明細書において、「セット」という語は、０を含めた任意の数のアイテムを含むものとする。さらに、本明細書において、「数」という語は、０を含めた任意の数を含むものとする。
【０１４８】
さらに、特許請求の範囲は、述べる順序または要素に限定されるという趣旨で記述されない限り、そのように限定されるものとして読まれるべきではない。加えて、任意の請求項における「手段」という語の使用は、米国特許法第１１２条第６段落を行使するものとし、単語「手段」を含まない任意の請求項は、そうでないものとする。
【図１Ａ】
2014512145.tif 000003
【図１Ｂ】
2014512145.tif 000004
【図１Ｃ】
2014512145.tif 000005
【図２Ａ】
2014512145.tif 000006
【図２Ｂ】
2014512145.tif 000007
【図２Ｃ】
2014512145.tif 000008
【国際調査報告】
2014512145.tif 000009
2014512145.tif 000010
2014512145.tif 000011
2014512145.tif 000012
2014512145.tif 000013